(57)【要約】【課題】ＶＢＩデータを効率よく伝送し、かつアナログ受信機で受信できるようにする。【解決手段】受信したアナログ放送のテレビジョン信号からＶＢＩデータ抽出部１５でＶＢＩデータを抽出し、抽出したＶＢＩデータにそれが重畳されていたライン番号を付加して映像信号と共にＭＰＥＧ映像エンコーダ１４でＭＰＥＧ符号化し、ＭＰＥＧ符号化した音声信号と共にＭＰＥＧＴＳエンコーダ１７でトランスポートストリーム信号として生成して、変調器１８で変調してデジタル放送方式の信号として伝送する。受信側では、受信したデジタル放送方式の信号から、音声ストリームと映像ストリームを分離し、デコーダ４４，４５でそれぞれ復号すると共にＶＢＩデータを抽出する。抽出したＶＢＩデータに含まれるライン番号に基づいてＶＢＩデータを映像信号に組込み、音声信号と共にＮＴＳＣフォーマットに変換して出力する。【選択図】　　　図１
2004064461.tif 000002
【特許請求の範囲】
【請求項１】
アナログ放送方式の映像信号の垂直帰線期間に多重されているデータを抽出し、抽出したデータをそれが多重されている走査線番号情報との対で構成する伝送データを生成する手段と、
前記アナログ放送方式の映像信号と、音声信号と、前記伝送データを符号化してデジタル放送方式の信号を生成する手段と、
前記デジタル放送方式の信号を伝送する手段と、
を具備したことを特徴とするテレビジョン信号におけるデータ伝送装置。
【請求項２】
前記デジタル放送方式の信号は、ＭＰＥＧによって符号化されており、前記伝送データは、ビデオエレメンタリーストリーム中のピクチャレイヤのユーザデータとして多重されていることを特徴とする請求項１に記載のテレビジョン信号におけるデータ伝送装置。
【請求項３】
前記デジタル放送方式の信号は、ＭＰＥＧによって符号化されており、前記伝送データは、独立ＰＥＳとしてトランスポートストリームの一部を構成するように多重されるものであることを特徴とする請求項１に記載のテレビジョン信号におけるデータ伝送装置。
【請求項４】
デジタル放送信号を受信し、映像信号及び音声信号を復号すると共に映像信号のライン番号を含む伝送データを取得する手段と、
前記伝送データを、前記映像信号の前記ライン番号と同じラインに組み込む手段と、
前記伝送データが組み込まれた映像信号と前記音声信号に基づき、所定フォーマットのテレビジョン信号を得る手段と、
を具備したことを特徴とするテレビジョン信号におけるデータ受信装置。
【請求項５】
さらに所定フォーマットのテレビジョン信号を放送周波数を有する信号に変換して出力する手段を備えることを特徴とする請求項４に記載のテレビジョン信号におけるデータ受信装置。
【請求項６】
アナログテレビジョン放送を受信して映像信号及び音声信号を得る手段と、
前記映像信号の垂直帰線期間に多重されているデータを抽出し、抽出したデータをそれが多重されている走査線番号情報との対で構成される伝送データを取得する手段と、
前記音声信号と映像信号と前記伝送データを符号化してデジタル放送方式の信号を得る手段と、
前記デジタル放送方式の信号を伝送する手段と、
前記伝送されたデジタル放方式の信号を受信し、映像信号及び音声信号を復号すると共に前記伝送データを取得する手段と、
前記伝送データを、当該伝送データに含まれる前記映像信号の前記ライン番号と同じラインに組み込む手段と、
前記伝送データが組み込まれた映像信号と前記音声信号に基づき、所定標準フォーマットのテレビジョン信号を得る手段と、
を具備したことを特徴とするテレビジョン信号におけるデータ送受信装置。
【請求項７】
アナログテレビジョン放送を受信して映像信号及び音声信号を得るステップと、
前記映像信号の垂直帰線期間に多重されているデータを抽出し、抽出したデータをそれが多重されている走査線番号情報との対で構成される伝送データを取得するステップと、
前記音声信号と映像信号と前記伝送データを符号化してデジタル放送方式の信号を得るステップと、
前記デジタル放送方式の信号を伝送するステップと、
を具備したことを特徴とするテレビジョン信号におけるデータ伝送方法。
【請求項８】
デジタル放送信号を受信し、映像信号及び音声信号を復号すると共に映像信号のライン番号を含む伝送データを取得するステップと、
前記伝送データを、前記映像信号の前記ライン番号と同じラインに組み込むステップと、
前記伝送データが組み込まれた映像信号と前記音声信号に基づき、所定標準フォーマットのテレビジョン信号を得るステップと、
を具備したことを特徴とするテレビジョン信号におけるデータの受信方法。
【請求項９】
アナログテレビジョン放送を受信して映像信号及び音声信号を得るステップと、
前記映像信号の垂直帰線期間に多重されているデータを抽出し、抽出したデータをそれが多重されている走査線番号情報との対で構成される伝送データを取得するステップと、
前記音声信号と映像信号と前記伝送データを符号化してデジタル放送方式の信号を得るステップと、
前記デジタル放送方式の信号を伝送するステップと、
前記伝送されたデジタル放送方式の信号を受信し、映像信号及び音声信号を復号すると共に前記伝送データを取得するステップと、
前記伝送データを、当該伝送データに含まれる前記映像信号のライン番号と同じラインに組み込むステップと、
前記伝送データが組み込まれた映像信号と前記音声信号に基づき、所定標準フォーマットのテレビジョン信号を得るステップと、
を具備したことを特徴とするテレビジョン信号におけるデータ送受信方法。
【発明の詳細な説明】
【０００１】
【発明の属する技術分野】
本発明は、テレビジョン放送信号に多重伝送される文字情報等のデータの伝送装置及び伝送方法に関するものであり、特に、アナログテレビジョン放送で実施されている文字多重信号のデータをデジタルテレビジョン放送の伝送方式で伝送し、かつアナログ受信機でも受信できるようにしたデータ伝送装置及び受信装置に関する。
【０００２】
【従来の技術】
テレビジョン放送においては、デジタル衛星放送が開始されて既に久しく、地上波デジタル放送も近い将来実施されることが決定されている。
アナログ放送に対するデジタル放送のメリットは、双方向性等、種々挙げられているが、伝送帯域の節約ができることもその一つで、アナログ方式の放送信号をデジタル方式の放送信号に変換して伝送すれば、伝送効率を向上させることが可能であることが知られている。
【０００３】
アナログテレビジョン放送では、テレビジョン信号の垂直帰線期間（ＶｅｒｔｉｃａｌＢｌａｎｋｉｎｇ　Ｉｎｔｅｒｖａｌ：　ＶＢＩ）に文字多重信号を重畳して伝送するサービスが実施されている。
デジタル放送では、ＶＢＩを利用した伝送は行なわず、このような付加情報は、独立ＰＥＳ（Ｐａｃｋｅｔｉｚｅｄ　Ｅｌｅｍｅｎｔａｒｙ　Ｓｔｒｅａｍ）伝送方式、データカルーセル伝送方式を用いて伝送している。
アナログ放送信号をデジタル放送信号に変換する際に、番組を構成する映像信号及び音声信号については、デジタル放送の方式が確立しており、それに則って変換すればよいが、ＶＢＩで伝送される情報をデジタル放送方式で伝送するにはどうするかという点については、一義的に決定される方式がなく、効率の良い伝送方式があるとはいえなかった。
【０００４】
一方、視聴者は、デジタル放送対応の受信機によって、伝送されたテレビジョン放送の視聴が可能であるが、アナログ放送対応の受信機では、当然デジタル放送は視聴できず、デジタル方式に変換されて伝送されるサービスを享受できないという問題がある。
【０００５】
【発明が解決しようとする課題】
以上のように、従来、文字多重テレビジョン信号を、狭い帯域で効率よく伝送し、それを従前のアナログ受信機で受信する送受信装置の実現が要望されていたが、満足のできるものがなかった。
本発明は、ＶＢＩで伝送される情報を、それが重畳されている映像信号のライン番号情報と共に、符号化して伝送し、受信側で復号してＶＢＩデータをライン番号どうりに映像信号に組み込んで標準フォーマットのテレビジョン信号を生成するようにすることで、伝送帯域の有効活用と、従前の受信機でのＶＢＩデータの受信を可能としたテレビジョン信号によるデータ伝送装置、データ伝送方法、データ受信装置、データ受信方法、データ送受信装置及びデータ送受信方法を提供することを目的とする。
【０００６】
【課題を解決するための手段】
本発明の、テレビジョン信号におけるデータ伝送装置は、アナログ放送方式の映像信号の垂直帰線期間に多重されているデータを抽出し、抽出したデータをそれが多重されている走査線番号情報との対で構成する伝送データを生成する手段と、前記アナログ放送方式の映像信号と、音声信号と、前記伝送データを符号化してデジタル放送方式の信号を生成する手段と、前記デジタル放送方式の信号を伝送する手段と、を具備したことを特徴とする。
【０００７】
本発明によれば、アナログ放送方式の映像信号からＶＢＩデータを抽出して、ライン番号と対にして伝送データを生成してデジタル放送方式で伝送するようにしたので、帯域を効率的に使った伝送を行うことができるものである。
本発明のテレビジョン信号におけるデータ受信装置は、デジタル放送信号を受信し、映像信号及び音声信号を復号すると共に映像信号のライン番号を含む伝送データを取得する手段と、前記伝送データを、前記映像信号の前記ライン番号と同じラインに組み込む手段と、前記伝送データが組み込まれた映像信号と前記音声信号に基づき、所定フォーマットのテレビジョン信号を得る手段と、を具備したことを特徴とする。
【０００８】
本発明によれば、デジタル放送方式で伝送される信号を復号すると共に、映像信号のライン番号を含むＶＢＩデータを抽出して、ライン番号に合わせてＶＢＩデータを映像信号に組み込んで標準フォーマットのテレビジョン信号を得るようにしたので、従前の受信機でＶＢＩデータを受信することができる。
【０００９】
本発明のテレビジョン信号におけるデータ送受信装置は、アナログテレビジョン放送を受信して映像信号及び音声信号を得る手段と、前記映像信号の垂直帰線期間に多重されているデータを抽出し、抽出したデータをそれが多重されている走査線番号情報との対で構成される伝送データを取得する手段と、前記音声信号と映像信号と前記伝送データを符号化してデジタル放送方式の信号を得る手段と、前記デジタル放送方式の信号を伝送する手段と、前記伝送されたデジタル放方式の信号を受信し、映像信号及び音声信号を復号すると共に前記伝送データを取得する手段と、前記伝送データを、当該伝送データに含まれる前記映像信号の前記ライン番号と同じラインに組み込む手段と、前記伝送データが組み込まれた映像信号と前記音声信号に基づき、所定標準フォーマットのテレビジョン信号を得る手段と、を具備したことを特徴とする。
【００１０】
本発明によれば、ＶＢＩデータをデジタル放送方式のテレビジョン信号で伝送し、受信してＶＢＩデータを映像信号の元のラインに組み込んで標準フォーマットのテレビジョン信号を得るようにするしたことにより、伝送効率を向上させることができると共に、従前の受信機でＶＢＩデータを受信することができるものである。
【００１１】
本発明のテレビジョン信号におけるデータ伝送方法は、アナログテレビジョン放送を受信して映像信号及び音声信号を得るステップと、前記映像信号の垂直帰線期間に多重されているデータを抽出し、抽出したデータをそれが多重されている走査線番号情報との対で構成される伝送データを取得するステップと、前記音声信号と映像信号と前記伝送データを符号化してデジタル放送方式の信号を得るステップと、前記デジタル放送方式の信号を伝送するステップと、を具備したことを特徴とする。
【００１２】
本発明によれば、ＶＢＩデータをデジタル放送方式のテレビジョン信号で伝送できるので効率のよい伝送を行なうことができる。
本発明のテレビジョン信号におけるデータ受信方法は、デジタル放送信号を受信し、映像信号及び音声信号を復号すると共に映像信号のライン番号を含む伝送データを取得するステップと、前記伝送データを、前記映像信号の前記ライン番号と同じラインに組み込むステップと、前記伝送データが組み込まれた映像信号と前記音声信号に基づき、所定標準フォーマットのテレビジョン信号を得るステップと、を具備したことを特徴とする。
【００１３】
本発明によれば、デジタル放送方式で伝送される信号を復号すると共に、映像信号のライン番号を含むＶＢＩデータを抽出して、ライン番号に合せてＶＢＩデータを映像信号に組み込んで標準フォーマットのテレビジョン信号を得るようにしたので、従前の受信機でＶＢＩデータを受信することができる。
【００１４】
本発明のテレビジョン信号におけるデータ送受信方法は、アナログテレビジョン放送を受信して映像信号及び音声信号を得るステップと、前記映像信号の垂直帰線期間に多重されているデータを抽出し、抽出したデータをそれが多重されている走査線番号情報との対で構成される伝送データを取得するステップと、前記音声信号と映像信号と前記伝送データを符号化してデジタル放送方式の信号を得るステップと、前記デジタル放送方式の信号を伝送するステップと、前記伝送されたデジタル放送方式の信号を受信し、映像信号及び音声信号を復号すると共に前記伝送データを取得するステップと、前記伝送データを、当該伝送データに含まれる前記映像信号のライン番号と同じラインに組み込むステップと、前記伝送データが組み込まれた映像信号と前記音声信号に基づき、所定標準フォーマットのテレビジョン信号を得るステップと、を具備したことを特徴とする。
【００１５】
本発明によれば、ＶＢＩデータをデジタル放送方式のテレビジョン信号で伝送し、受信してＶＢＩデータを映像信号の元のラインに組み込んで標準フォーマットのテレビジョン信号を得るようにするしたことにより、伝送効率を向上させることができると共に、従前の受信機でＶＢＩデータを受信することができるものである。
【００１６】
【発明の実施の形態】
以下、図面を参照しながら本発明の実施の形態を詳細に説明する。
図１は、本発明のデータ伝送装置１０の一実施の形態を示すブロック図である。データ伝送装置１０は、ＶＢＩに文字多重信号が重畳されたアナログ放送テレビジョン信号を、デジタル放送方式のテレビジョン信号に変換して出力する機能を有する。
【００１７】
入力端子１１は、図示しないケーブルを介してアンテナに接続されアナログ放送信号が供給される。入力端子１１に供給された受信信号は、チューナ１２／復調部に供給されてここで、所定のチャンネルが選局され、さらに復調処理が行なわれ、ベースバンドの音声信号と映像信号が得られる。
【００１８】
ベースバンドの音声信号は、ＭＰＥＧ（Ｍｏｖｉｎｇ　Ｐｉｃｔｕｒｅ　Ｅｘｐｅｒｔｓ　Ｇｒｏｕｐ）オーディオエンコーダ１３に供給されて、ここでデジタル信号に変換されると共に、ＭＰＥＧオーディオへの符号化処理が行なわれる。
また、ベースバンドの映像信号は、ＭＰＥＧビデオエンコーダ１４に供給されて、デジタル信号に変換されると共に、ＭＰＥＧビデオへの符号化処理が施される。
また、ベースバンド映像信号は、ＶＢＩデータ抽出部１５にも供給され、ここでＶＢＩデータが抽出される。抽出したＶＢＩデータは、そのＶＢＩデータが重畳されている映像信号の走査線番号を示す情報と共に伝送データとして、メモリ１６に蓄えられる。
【００１９】
メモリ１６に蓄えられた伝送データは、ＭＰＥＧビデオエンコーダ１４に供給されて、ここで、ピクチャーレイヤーのユーザデータとして、ＭＰＥＧビデオのエレメンタリーストリーム中に多重され、符号化される。
以上のように符号化されたオーディオデータ（ＰＥＳ）と、伝送データがピクチャーレイヤのユーザデータとして多重化され、符号化されたビデオデータ（ＰＥＳ）は、ＭＰＥＧＴＳ（Ｔｒａｎｓｐｏｒｔ　Ｓｔｒｅａｍ）エンコーダ１７でＭＰＥＧ２トランスポートストリームとして、符号化されて変調器１８に供給される。
【００２０】
変調器１８では、ＴＳエンコーダ１７から供給されるトランスポートストリームに対して、位相変調（ＰＳＫ：Ｐｈａｓｅ　Ｓｈｉｆｔ　Ｋｅｙｉｎｇ）が施され、デジタル変調信号として出力される。
ＶＢＩデータの処理について、図２を参照してさらに詳細に説明する。
図２の２ａは、ＶＢＩの所定の１水平走査ラインに多重して伝送されるＶＢＩデータ２ａの具体的構成を示すもので、１６ビット構成のビット同期部２１と、８ビット構成のバイト同期部２２と、１４ビット構成のプレフィックス部２３と、データブロック部２４と、８２ビット構成のチェック符号部２５を含む。ＶＢＩデータ抽出部１５は、２ａに示すＶＢＩデータの２９６ビット全てをＶＢＩデータとして抽出してメモリ１６に記憶させてもよいし、固定パターンである同期部分（ビット同期部、バイト同期部）を除いた２７２ビットをＶＢＩデータとして抽出してもよい。
【００２１】
そして、ＶＢＩデータ抽出部１５は、そのように抽出したＶＢＩデータに対して、さらにそのデータを抽出した水平走査線（ライン）番号２６を付加して伝送データ２ｂを生成し、各フレーム毎にメモリ１６に蓄える。
メモリ１６に蓄えられたＶＢＩデータは、ＭＰＥＧビデオエンコーダ１４に供給され、２ｃに示すように、ピクチャーレイヤのユーザデータ２７としてＭＰＥＧビデオのエレメンタリーストリーム中に組み込まれる。
図１に示す装置の動作をさらに図３のフローチャートを参照して説明する。
ステップ３ａで開始され、次に、ステップ３ｂで、放送チャンネルの選局と復調が行なわれ、ベースバンドの映像信号及び音声信号が出力される。
ベースバンド音声信号は、ステップ３ｃで、デジタル信号に変換されて、ステップ３ｄでＭＰＥＧオーディオの符号化が行なわれる。
ベースバンド映像信号は、ステップ３ｅで、デジタル信号に変換されると共に、ステップ３ｆでＶＢＩデータの抽出が行なわれ、さらにこのＶＢＩデータが重畳されていた走査線の番号情報と共に伝送データが生成される。次にステップ３ｇで、映像データがＭＰＥＧ符号化される際に、伝送データが、ピクチャーレイヤのユーザデータとしてビデオのエレメンタリーストリーム中に多重される。
【００２２】
次いで、ステップ３ｈで、ＭＰＥＧオーディオデータと、伝送データが多重されたＭＰＥＧビデオデータが、ＭＰＥＧ２のトランスポートストリームとして符号化され、次いでステップ３ｉでトランスポートストリームが位相変調され、ステップ３ｊで出力されて終了となる。
【００２３】
以上のように、この発明のデータ伝送装置は、アナログ放送のテレビジョン信号をデジタル放送方式のテレビジョン信号に変換すると共に、アナログ放送のテレビジョン信号に多重されているＶＢＩデータを、ピクチャーレイヤのユーザデータとしてビデオのエレメンタリーストリーム中に多重するようにしたので、伝送帯域を節約しつつ、ＶＢＩデータを含む伝送データを確実に伝送できるようになる。
【００２４】
次に、図１の変調器１８から出力されるデジタル放送方式の信号を受信する装置を図４のブロック図を参照して詳細に説明する。
図４に示す装置４０は、各アナログ受信機のアンテナ入力端子に接続して使用するように構成されており、入力端子４１には、図１に示す装置１０の変調器１８の出力が図示しないケーブルを介して供給される。入力端子４１に供給される信号は、チューナ／復調部４２に供給され、ここで、チャンネルの選局と位相復調及び誤り訂正が施され、ＭＰＥＧ２トランスポートストリームとしてデマルチプレクサ４３に供給される。
【００２５】
デマルチプレクサ４３では、オーディオストリーム及びビデオストリームがそれぞれ分離抽出され、オーディオストリームはＭＰＥＧオーディオデコーダ４４に供給されてＭＰＥＧオーディオの復号が行なわれ、ビデオストリームは、ＮＰＥＧビデオデコーダ４５に供給され、ここでＭＰＥＧビデオの復号が行なわれる。
【００２６】
さらに、ＭＰＥＧビデオデコーダ４５は、ビデオエレメンタリーストリーム中のピクチャーレイヤのユーザデータとして多重されているフレーム単位でまとめられた伝送データを抽出して、ユーザデータ格納メモリ４６に格納する。
ＭＰＥＧビデオデコーダ４５で復号された映像信号は、ＶＢＩデータ多重部４７に供給される。
ＶＢＩデータ多重部４７は、ユーザメモリ格納部４６に格納された伝送データのうちのライン番号情報と、ＭＰＥＧビデオデコーダ４５から供給される映像信号のライン番号とを比較し、一致するラインにＶＢＩデータを順次多重して出力する。
ＭＰＥＧオーディオデコーダ４４のから出力される音声信号と、ＶＢＩデータ多重部でＶＢＩデータが多重されたＭＰＥＧビデオデコーダ４５からの映像信号は、ＮＴＳＣ（Ｎａｔｉｏｎａｌ　Ｔｅｌｅｖｉｓｉｏｎ　Ｓｔａｎｄａｒｄｓ　Ｃｏｍｍｉｔｔｅｅ）　エンコーダ４８に供給され、ここでアナログＮＴＳＣ信号にエンコードされ、さらにＲＦ（Ｒａｄｉｏ　Ｆｒｅｑｕｅｎｃｙ）変調器４９で所定のチャンネルの搬送波周波数を有するＲＦ信号に変調されて出力される。
【００２７】
このＲＦ変調器４９の出力を、アナログテレビジョン受信機のチューナ入力端子に供給し、チューナで対応するチャンネルを選局することで、ＲＦ変調器４９の出力を選局でき、通常のチャネル受信時と同様に、映像及び音声の視聴と、ＶＢＩデータの受信を行なうことができる。
【００２８】
図４に示す装置の動作を図５のフローチャートを参照してさらに説明する。
ステップ５ａで開始され、ステップ５ｂで、入力されたデジタル放送形式の信号のチャンネル選局と復調を行い、さらに誤り訂正を施してトランスポートストリーム信号として出力する。
次に、ステップ５ｃで音声ストリームが抽出され、ステップ５ｄでＭＰＥＧオーディオ信号の復号が行われる。
ステップ５ｅで映像ストリームが抽出され、次いでステップ５ｆでＭＰＥＧビデオ信号の復号が行われ、同時にステップ５ｇで、ビデオエレメンタリーストリーム中のピクチャーレイヤのユーザデータとして多重されているフレーム単位でまとめられた伝送データを抽出する。
【００２９】
次にステップ５ｈで、伝送データに含まれるライン番号に基づいて、映像信号の同じ番号のラインに、そのＶＢＩデータを多重する。さらにステップ５ｉで、復号された音声信号と、ＶＢＩデータが多重された復号映像信号に基づいてＮＴＳＣフォーマットのアナログテレビジョン信号が生成され、ステップ５ｊでＮＴＳＣアナログテレビジョン信号が、所定の放送チャンネルの放送周波数を有する信号に変換されて、ステップ５ｋで出力される。
【００３０】
以上のように、図４に示す受信装置によれば、デジタル放送方式で伝送される信号から、映像及び音声信号を復号すると共に、伝送データを抽出して、当該データに含まれるライン番号に基づいてＶＢＩデータを映像信号に多重して、音声信号と共にＮＴＳＣフォーマットに変換して、さらにＲＦ変調して出力するようにしたので、アナログ受信機でＶＢＩデータを受信することが可能である。
【００３１】
なお、図１に示すデータ伝送装置１０は、伝送データをピクチャーレイヤのユーザデータとしてビデオのエレメンタリーストリーム中に多重するものとして説明したが、これに限定されるものではなく、各フレーム毎にまとめたＶＢＩデータにフレームの管理番号を付し、独立ＰＥＳとしてＭＰＥＧＴＳエンコーダで多重して伝送してもよい。この場合には、図４に示す受信装置４０でも同様に映像とは異なるＰＥＳから伝送データを抽出することになる。
【００３２】
また、図１に示す伝送装置１０は、特定の放送チャンネルを受信して特定のデジタル放送に対応した放送チャンネルに変換して伝送するように構成したが、伝送装置１０を受信可能な文字多重放送を実施しているアナログ放送のチャンネル全てに対応付けて設け、各出力がデジタル放送の異なるチャンネルに対応するように構成すると共に、混合して一本のケーブルで伝送するように構成することもできる。
【００３３】
受信側では、受信装置４０を、伝送装置１０と同様に、アナログ放送の文字多重放送を実施している受信可能な全てのチャンネルに対応して設け、各ＲＦ変調器４９からチューナ／復調部１２の受信チャンネルと同じアナログ放送のチャンネルの放送信号が出力されるように構成し、さらにそれらをそれに混合して図示しない受信機のアンテナ入力端子に供給するように構成することができる。
【００３４】
あるいは、受信装置４０は、受信機の近くに配置することが可能であるため、受信機のチャンネル切換えと、チューナ／復調部４２及びＲＦ変調器４９の出力周波数の切換えを連動させるようにしてもよい。
以上説明したように、本発明によれば、アナログ放送方式のテレビジョン信号をデジタル放送方式の信号に変換すると共に、ＶＢＩデータをそれが重畳されたライン番号と共に、ピクチャレイヤのユーザデータとして多重し、あるいは伝送データを独立ＰＥＳとしてＭＰＥＧＴＳエンコーダで多重して伝送し、受信側で、伝送されたテレビジョン信号をアナログ放送方式のテレビジョン信号に変換すると共に、伝送データを抽出して当該データに含まれるライン番号に対応させて映像信号にＶＢＩデータを多重させて出力するように構成したので、伝送効率を高めることができると共に、従前のアナログ方式の受信機で文字多重信号を受信することができるものである。
【００３５】
【発明の効果】
以上のように、本発明によれば、ＶＢＩデータを、デジタル放送方式のテレビジョン信号に多重して伝送し、受信してアナログ放送方式のテレビジョン信号に変換すると共に、ＶＢＩデータを映像信号の元のラインに多重してアナログ受信機に供給するように構成したので、伝送効率を高めることができると共に、従前のアナログ受信機で文字多重信号を受信することができるものである。
【図面の簡単な説明】
【図１】本発明に係る、データ伝送装置の一実施の形態を示すブロック図。
【図２】図１に示す装置におけるＶＢＩデータの処理動作を説明するための図。
【図３】図１に示す装置の動作を説明するためのフローチャート。
【図４】本発明に係る、データ受信装置の一実施の形態を示すブロック図。
【図５】図４に示す装置の動作を説明するためのフローチャート。
【符号の説明】
１０…データ伝送装置
１１，４１…入力端子
１２…チューナ／復調部（アナログ放送対応）
１３…ＭＰＥＧオーディオエンコーダ
１４…ＭＰＥＧビデオエンコーダ
１５…ＶＢＩデータ抽出部
１６…メモリ
１７…ＭＰＥＧ−ＴＳエンコーダ
１８…変調器
４２…チューナ／復調部（デジタル放送対応）
４３…デマルチプレクサ
４４…ＭＰＥＧオーディオデコーダ
４５…ＭＰＥＧビデオデコーダ
４６…ユーザデータ格納メモリ
４７…ＶＢＩデータ多重部
４８…ＮＴＳＣエンコーダ
４９…ＲＦ変調器
【図１】
2004064461.tif 000003
【図２】
2004064461.tif 000004
【図３】
2004064461.tif 000005
【図４】
2004064461.tif 000006
【図５】
2004064461.tif 000007